(57)【要約】      （修正有）【課題】例えば、変倍光学系の状態の変化による光量の変化の影響を低減するのに有利なレンズ装置を提供することを目的とする。【解決手段】レンズ装置１０は、変倍光学系１０７と、前記変倍光学系の状態を検出する検出部１０８と、開口絞り１０４と、前記開口絞りの開口量を変更する駆動部１０３と、前記駆動部を制御する制御部１０２とを有するレンズ装置であって、前記状態に基づいて前記駆動部を制御して前記開口量の補正を行い、前記状態の変化と前記補正とに基づく光量の変化を補正するための補正情報を外部装置に出力する制御部と、を有することを特徴とする。【選択図】図１
2020160299.tif 000002
【特許請求の範囲】
【請求項１】
変倍光学系と、前記変倍光学系の状態を検出する検出部と、開口絞りと、前記開口絞りの開口量を変更する駆動部と、前記駆動部を制御する制御部とを有するレンズ装置であって、
前記状態に基づいて前記駆動部を制御して前記開口量の補正を行い、前記状態の変化と前記補正とに基づく光量の変化を補正するための補正情報を外部装置に出力する制御部と、
を有することを特徴とするレンズ装置。
【請求項２】
前記制御部は、前記補正を行った場合に前記補正情報を出力することを特徴とする請求項１に記載のレンズ装置。
【請求項３】
前記制御部は、前記補正の不足分に基づいて前記補正情報を生成することを特徴とする請求項１または請求項２に記載のレンズ装置。
【請求項４】
前記制御部は、前記状態と前記変化とに基づいて前記不足分の情報を得ることを特徴とする請求項３に記載のレンズ装置。
【請求項５】
前記変倍光学系は、光路に対して挿抜可能なエクステンダー光学系を含むことを特徴とする請求項１ないし請求項４のうちいずれか１項に記載のレンズ装置。
【請求項６】
前記変倍光学系は、光軸の方向において可動のズーム光学系を含むことを特徴とする請求項１ないし請求項５のうちいずれか１項に記載のレンズ装置。
【請求項７】
前記制御部は、前記補正を行わなかった場合、前記状態に基づき且つ前記補正に基づかない光量の変化を補正するための補正情報を前記外部装置に出力することを特徴とする請求項１ないし請求項６のうちいずれか１項に記載のレンズ装置。
【請求項８】
前記制御部は、前記状態に基づき且つ前記補正に基づかない光量の変化を補正するための補正情報を予め前記外部装置に出力することを特徴とする請求項１ないし請求項６のうちいずれか１項に記載のレンズ装置。
【請求項９】
前記制御部は、前記補正の不足分がない場合、前記不足分がないことを示す情報を前記外部装置に出力することを特徴とする請求項１ないし請求項８のうちいずれか１項に記載のレンズ装置。
【請求項１０】
請求項１ないし請求項９のうちいずれか１項に記載のレンズ装置と、
前記レンズ装置の像面に配された撮像素子と、
を含むことを特徴とする撮像装置。
【請求項１１】
請求項１ないし請求項９のうちいずれか１項に記載のレンズ装置と、
前記レンズ装置の像面に配された撮像素子と、
前記レンズ装置と前記撮像素子とを介して得られた画像情報を前記補正情報に基づいて補正する画像処理を行う画像処理装置と、
を含むことを特徴とする光学装置。
【発明の詳細な説明】
【技術分野】
【０００１】
本発明は、レンズ装置、撮像装置、および光学装置に関する。
【背景技術】
【０００２】
カメラ装置に装着する交換レンズ装置には焦点距離範囲の切り替えを可能にするエクステンダー光学系（レンズ群）が内蔵されているものがある。当該レンズ装置は、内蔵エクステンダーを光路に対して挿抜することにより、焦点距離（範囲）を素早く変化させることができる。エクステンダー光学系の挿抜により焦点距離が変化すると、それに伴って光量も変化する。この光量変化を低減するために、エクステンダー光学系の挿抜に応じてアイリス（開口絞り）を駆動して開口径を変更する機能（アイリス補正機能）がある。アイリス補正機能は、レンズ装置単独で実行することができる。ここで、特許文献１は、レンズ装置とカメラ装置とが連携して光量の制御を行うために、アイリス補正機能を実行するか否かを示す情報をレンズ装置からカメラ装置へ送出することを開示している。
【先行技術文献】
【特許文献】
【０００３】
【特許文献１】特開２０１７−１２０２９２号公報
【発明の概要】
【発明が解決しようとする課題】
【０００４】
特許文献１に開示されたレンズ装置は、例えばエクステンダー光学系の挿入により焦点距離が２倍になる場合にアイリスを開放側へ駆動するところ、駆動前のアイリスの開口状態が開放状態に近いと、アイリスの駆動だけでは光量を補正しきれず、光量の変化が生じうる。また、カメラ装置等において画像処理による光量補正（光量補償）をする場合には、レンズ装置において実施されるアイリス補正との連携が取れないため、光量の過補正が生じうる。
【０００５】
本発明は、例えば、変倍光学系の状態の変化による光量の変化の影響を低減するのに有利なレンズ装置を提供することを目的とする。
【課題を解決するための手段】
【０００６】
上記目的を達成するために、本発明のレンズ装置は、変倍光学系と、前記変倍光学系の状態を検出する検出部と、開口絞りと、前記開口絞りの開口量を変更する駆動部と、前記駆動部を制御する制御部とを有するレンズ装置であって、前記状態に基づいて前記駆動部を制御して前記開口量の補正を行い、前記状態の変化と前記補正とに基づく光量の変化を補正するための補正情報を外部装置に出力する制御部と、を有することを特徴とする。
【発明の効果】
【０００７】
本発明によれば、例えば、変倍光学系の状態の変化による光量の変化の影響を低減するのに有利なレンズ装置を提供することができる。
【図面の簡単な説明】
【０００８】
【図１】実施例１、２におけるレンズ装置のシステムブロック図
【図２】実施例１におけるアイリス補正部の処理フローチャート
【図３】実施例２におけるアイリス補正部の処理フローチャート
【図４】実施例３におけるレンズ装置のシステムブロック図
【図５】実施例３におけるアイリス補正部の処理フローチャート
【発明を実施するための形態】
【０００９】
以下に、本発明の好ましい実施の形態を、添付の図面に基づいて詳細に説明する。
【実施例１】
【００１０】
図１は、実施例１のレンズ装置１０のブロック回路構成図である。レンズ装置１０は、レンズ装置の像面に配置される撮像素子を有するカメラ装置と接続することにより撮像装置を構成する。
【００１１】
通信部１０１はアイリス補正部１０２、アイリス制御部（駆動部）１０３、エクステンダー制御部１０６と接続されており、カメラ装置とデータの送受信を行うために外部機器との通信接続を確立してコマンドのやり取りを行う。
【００１２】
アイリス補正部１０２は、アイリス制御部１０３、アイリス位置検出部１０５、エクステンダー制御部１０６と接続されている。アイリス補正部１０２は、アイリス情報やエクステンダー情報を参照して、エクステンダー光学系（変倍光学系）の状態の変化に起因する光量変化をアイリス（開口絞り）の開口量の変更で補正するアイリス補正を行う。
【００１３】
アイリス制御部１０３はアイリス１０４、アイリス位置検出部１０５と接続されており、アイリス１０４の駆動を制御する。アイリス１０４はアイリス位置検出部１０５と接続されており、レンズ装置１０の開口径を変化させる。アイリス位置検出部１０５はアイリス１０４の状態を検出することで現在の開口径を算出する。
【００１４】
エクステンダー制御部１０６はエクステンダー光学系１０７、エクステンダー位置検出部１０８と接続されており、エクステンダー光学系１０７の駆動を制御する。エクステンダー光学系１０７はエクステンダー位置検出部１０８と接続されており、光路に挿抜可能に構成されたレンズの挿抜により焦点距離を変化（シフト）させる。エクステンダー位置検出部１０８はエクステンダー光学系１０７の状態を検出することで現在の焦点距離の倍率を求める。
【００１５】
この構成により、アイリス１０４とエクステンダー光学系１０７の駆動をアイリス補正部１０２が制御し、通信部１０１へ情報伝達を行うことができる。
【００１６】
図２は、実施例１におけるアイリス補正部１０２の処理フローチャートである。この処理フローはエクステンダー位置検出部１０８でエクステンダー光学系の挿抜が検出されると動作する。
【００１７】
まず、ステップＳ１０１でアイリス補正が実行可能か否かを判断する。判断は補正のためにアイリスを駆動する方向に対する駆動量が、アイリス駆動端までの余裕よりも小さいか否かで行う。この時の駆動量は予めレンズ装置１０内部で保持しておく。駆動量が駆動端までの余裕以下の場合は実行可能であるためステップＳ１０２に進み、駆動端までの余裕を超える場合は、アイリスの駆動だけでエクステンダー光学系の挿抜に起因する光量変化を補正することはできないためステップＳ１０３に進む。
【００１８】
ステップＳ１０２ではアイリス補正を実行してアイリスを駆動する。駆動処理が完了すると処理フローを終了する。
【００１９】
一方、ステップＳ１０３ではアイリス補正は行わない。それに代え、内部に保持している、エクステンダー光学系の挿抜に起因する光量変化を補正するためのアイリスの駆動量から、カメラ装置（外部機器）へ出力する、エクステンダー光学系の挿抜に起因する光量変化の補正に必要な補正量を算出する。例えば、エクステンダー光学系が１倍から２倍に切り替えられた場合は、光量が約１／４になるため約４倍明るくする必要があるということをカメラ装置へ送信する情報としてまとめる。補正量の算出を終えるとステップＳ１０４に進む。
【００２０】
ステップＳ１０４では、アイリス補正部１０２は、ステップＳ１０３で算出した補正量と、エクステンダー光学系の状態や切替に関する情報と、アイリス補正の有無やアイリスの状態に関する情報の少なくともいずれかを含む補正情報を通信部１０１へ出力する。通信部１０１はカメラ装置に対してデータ（補正情報）を送信する。送信が完了するとフローを終了する。
【００２１】
この処理フローにより、エクステンダー挿抜による光量変化に関する情報をカメラ装置へ通知することができる。
【００２２】
以上のように、実施例１では必要な補正量をカメラ装置へ通知することで、カメラ装置が光量を制御することができるため、アイリス位置が駆動端付近にある場合に光量変化を抑制することができる。
【実施例２】
【００２３】
次に、本発明の第２の実施例について説明する。レンズ装置１０の構成は実施例１と同様である。
【００２４】
図３は、実施例２におけるアイリス補正部１０２の処理フローチャートである。この処理フローは、エクステンダー位置検出部１０８によってエクステンダー光学系の挿抜（状態変化）が検出されると開始する。
【００２５】
ステップＳ２０１は実施例１のステップＳ１０１と同じ処理である。補正のために必要なアイリス駆動量と駆動端（開口絞りの開放位置）までの駆動の余裕代を比較し、アイリス補正だけでエクステンダー光学系の状態変化に起因する光量変化を補正可能な場合はステップＳ２０２に進む。アイリス補正だけでは補正しきれない場合はステップＳ２０３に進む。
【００２６】
ステップＳ２０２は、アイリス補正のみでエクステンダー光学系の状態変化に起因する光量変化を補正可能であるためステップＳ１０２と同じ処理を行う。アイリスを駆動して補正処理が完了すると処理フローを終了する。
【００２７】
一方、ステップＳ２０３では、ステップＳ２０１で用いた駆動端までの駆動の余裕分をアイリス駆動可能量に置き換えて、アイリス制御情報を算出する。算出が終わるとステップＳ２０４に進む。
【００２８】
ステップＳ２０４では、ステップＳ２０３で求めたアイリス制御情報により、アイリス駆動端までアイリスを駆動するようにアイリス制御部１０３に指令を出力する。指令を出力した後、ステップＳ２０５に進む。
【００２９】
ステップＳ２０５では、ステップＳ２０３で算出したアイリス駆動量により光量補正される補正量と、エクステンダー光学系の状態変化に起因する光量変化を補正するために実際に必要とする補正量から、アイリス駆動だけでは補正しきれない補正残り量を算出する。算出が終わるとステップＳ２０６に進む。
【００３０】
ステップＳ２０６では、ステップＳ２０５で算出した補正残り量に対応して生成された補正情報と、エクステンダー光学系の状態や切替に関する情報と、アイリス補正の有無やアイリスの状態に関する情報を、通信部１０１を介してカメラ装置へ送信する。送信が完了すると、処理フローを終了する。
【００３１】
この処理フローにより、アイリスを駆動端に制御しながら補正残り量をカメラ装置に通知することができる。
【００３２】
以上のように、実施例２ではアイリスを駆動端まで制御しながらカメラ装置へ補正残り量を通知することで、開放側への補正が必要な場合に取得可能な光量を最大限活用して、カメラ装置で残りの補正を行うことができるためノイズを低減することができる。
【００３３】
また、アイリスの駆動による補正で補正の不足分が発生しない場合には、補正の不足分が発生しないことを出力するように構成することで、過補正を未然に防止することができる。
これにより、エクステンダー挿抜による光量変化を抑制することができる。
【実施例３】
【００３４】
次に、本発明の第３の実施例について説明する。レンズ装置１０の構成を図４に示す。実施例３のレンズ装置１０は、図１で示した実施例１のレンズ装置に光量補正データ部１０９を加えた構成を有する。本実施例では、光学系の状態変化に起因する光量変化を、レンズ装置の外部装置での画像処理等によって補正可能である場合には、レンズ装置単独で光量補正が実行可能なアイリス補正を実行させない。それによりアイリス補正以外による補正とアイリス補正との重複による過剰補正を防止する。
【００３５】
光量補正データ部１０９は通信部１０１、アイリス補正部１０２と接続されている。光量補正データ部１０９は、レンズ装置内の光学系の状態変化による光量変化の画像への影響をカメラ装置内で例えば画像処理で補正するために、カメラ装置へ送信するための光量補正に関するデータを保持している。その情報をアイリス補正部１０２でも利用可能としている。
【００３６】
図５は、実施例３におけるアイリス補正部１０２の処理フローチャートである。
この処理フローは通信部１０１が光量補正データ部１０９のデータをカメラ装置（外部装置）に送信した後に開始する。
【００３７】
まず、ステップＳ３０１では光量補正データ部１０９に保存されているデータに基づくカメラ装置（外部装置）での画像処理等によって、エクステンダー光学系の挿抜（状態変化）による光量変化を補正できるか否かを判断する。可能である場合はステップＳ３０２に進み、不可である場合は処理フローを終了する。
【００３８】
ステップＳ３０２では、レンズ装置１０がアイリス補正を実行する状態に設定されているか否かを判断する。実行設定されている場合はステップＳ３０３に進み、設定されていない場合は、処理フローを終了する。
【００３９】
ステップＳ３０３では、アイリス補正実行設定をＯＮからＯＦＦに変更してレンズ装置１０単体でアイリス補正が行われないようにする。この処理を行った後、処理フローを終了する。
【００４０】
この処理フローにより、アイリス補正以外の方法でエクステンダー挿抜による光量補正（例えば、得られた画像情報に対する画像処理による補正）を行う場合にアイリス補正を行わないようにすることで、補正処理が重複することを防ぐことができる。
【００４１】
以上のように、実施例３ではアイリス補正の実行条件を変更することで、余分な補正を行うことを防ぐことができる。
これにより、エクステンダー挿抜による光量変化を抑制することができる。
【００４２】
実施例では、光路へのエクステンダー光学系の挿抜に起因する光学系全体の光量変化に対する光量補正を例示したが、本発明はこれに限定されることはない。光軸方向へ可動な変倍光学系としてのズームレンズ（ズーム光学系）の移動によるズーミングや、エクステンダー光学系とズームレンズの組合せでの倍率変更による、光学系全体の光量変化に対しても同様に適用することができる。
【００４３】
なお、本発明のレンズ装置と、該レンズ装置の像面に配された撮像素子と、該レンズ装置と該撮像素子とを介して得られた画像情報を、光量の変化を補正するための補正情報に基づいて補正する画像処理を行う画像処理装置とによって、本発明の効果を享受でき光学装置を構成することができる。
【００４４】
以上、本発明の好ましい実施形態について説明したが、本発明はこれらの実施形態に限定されず、その要旨の範囲内で種々の変形および変更が可能である。
【符号の説明】
【００４５】
１０  レンズ装置
１０２  アイリス補正部（制御部）
１０３  アイリス制御部（駆動部）
１０４  アイリス
１０７  エクステンダー光学系（変倍光学系）
１０８  エクステンダー位置検出部（検出部）
【図１】
2020160299.tif 000003
【図２】
2020160299.tif 000004
【図３】
2020160299.tif 000005
【図４】
2020160299.tif 000006
【図５】
2020160299.tif 000007